(57)【要約】【課題】装置全体のコストの低減化を図るとともに、紙詰まりの発生を防止することができるようにしたシュレッダの安全装置を提供する。【解決手段】被細断物Ａを細断する細断部１３、１３を駆動させるモータ１４に、過熱状態を検知する検知手段１７を設け、該検知手段が前記過熱状態を検知したとき、前記モータの駆動を停止させるシュレッダの安全装置において、前記検知手段は、前記モータの過熱限界温度よりも低目に設定し、前記モータの過熱限界温度に上昇する以前の所定の設定温度を検知したとき、予測手段によりモータ停止の予測判定を行うとともに、この予測判定から所定時間経過した後に、前記モータの駆動を停止させるようにする。【選択図】図５
2007136261.tif 000002
【特許請求の範囲】
【請求項１】
紙・書類等の被細断物を細断する細断部を駆動させるモータに、過熱状態を検知する検知手段を設け、該検知手段が前記過熱状態を検知したとき、前記モータの駆動を停止させるシュレッダの安全装置において、
前記検知手段は、前記モータの過熱限界温度よりも低目に設定されて、前記モータの過熱限界温度に上昇する以前の所定の設定温度を検知する予測手段により、モータ停止の予測判定を行うとともに、この予測判定から所定時間経過した後に、前記モータの駆動を停止させるようにしたこと特徴とするシュレッダの安全装置。
【請求項２】
前記モータの駆動を停止した後、前記モータの温度が、前記所定の設定温度に下降してから所定時間経過した後に、前記モータを再び駆動しうるようにした請求項１に記載のシュレッダの安全装置。
【発明の詳細な説明】
【技術分野】
【０００１】
本発明は、例えば紙・書類等の不用紙（以下、これを被細断物という）を細断処理するシュレッダに係り、特に、細断部を駆動するモータの異常過熱を未然に防止することができるようにしたシュレッダの安全装置に関する。
【背景技術】
【０００２】
従来のシュレッダにおいては、特許文献１に開示されているように、被細断物を細断する細断部を駆動させるモータに、過熱状態を検知する検知手段を設け、該検知手段が前記過熱状態を検知したとき、前記モータの駆動を停止させるように安全装置が備えられている。
【０００３】
この安全装置は、モータの過熱状態を第１及び第２の検知手段で検知し、第１の検知手段の設定温度を第２の検知手段の設定温度よりも高くし、第１の検知手段の設定温度になったときにモータを停止し、モータ冷却装置を作動させて冷却するとともに、第２の検知手段の設定温度になったときにモータを駆動させ、第２の検知手段の設定温度以下になったときにモータ冷却装置を停止させるようになっている。
【０００４】
【特許文献１】特開平１−２９９６４６号公報（図２）
【発明の開示】
【発明が解決しようとする課題】
【０００５】
しかし、上記した従来の安全装置では、モータの過熱状態を検知する検出手段として２つのセンサを用い、しかも、モータの駆動停止から再駆動までの時間の短縮化を図るために、モータ冷却装置を用いていることから、装置全体がコスト高になる。
【０００６】
また、モータの過熱温度が第１の検知手段の設定温度になったときには、モータが直ぐに停止させるようになっていることから、細断部に被細断物が挟まったまま、モータが冷却するまで、数十分間細断動作が中断され、紙詰まりが発生し易いという問題があった。
特にシュレッダにおいては、秘匿性の高い書類等を処理するので、未処理のまま停止するのは、処理担当者がその場を離れられないという問題がある。
【０００７】
本発明の目的は、装置全体のコストの低減化を図るとともに、紙詰まりのまま停止するのを防止することができるようにしたシュレッダの安全装置を提供することにある。
【課題を解決するための手段】
【０００８】
本発明によると、上記課題は、次のようにして解決される。
【０００９】
（１）紙・書類等の被細断物を細断する細断部を駆動させるモータに、過熱状態を検知する検知手段を設け、該検知手段が前記過熱状態を検知したとき、前記モータの駆動を停止させるシュレッダの安全装置において、前記検知手段は、前記モータの過熱限界温度よりも低目に設定されて、前記モータの過熱限界温度に上昇する以前の所定の設定温度を検知する予測手段により、モータ停止の予測判定を行うとともに、この予測判定から所定時間経過した後に、前記モータの駆動を停止させるようにする。
【００１０】
（２）上記（１）項において、前記モータの駆動を停止した後、前記モータの温度が、前記所定の設定温度に下降してから所定時間経過した後に、前記モータを再駆動させるようにする。
【発明の効果】
【００１１】
請求項１記載の発明によると、検知手段の設定温度を、モータの過熱限界温度よりも低目に設定し、モータの過熱限界温度に上昇する以前の所定の設定温度を検知したとき、予測手段によりモータ停止の予測判定を行い、この予測判定から所定時間経過した後に、モータの駆動を停止させるようになっているため、検知手段として一つのセンサを用いるだけでよく、装置全体のコストの低減化を図ることができるとともに、モータが駆動停止する間に、被細断物の細断を終了させることができ、紙詰まりの発生、すなわち未処理状態での停止を防止することができる。
【００１２】
請求項２記載の発明によると、モータの駆動を停止した後、モータの温度が、所定の設定温度に下降してから所定時間経過した後に、次の処理のためのモータを駆動させるようになっているため、未処理停止の確率を低減し、かつ、冷却装置を用いることなくモータを自然冷却することができ、装置全体のコストの低減化を図ることができる。
【発明を実施するための最良の形態】
【００１３】
以下、本発明を図面に基づいて詳細に説明すると、図１は、本発明の安全装置を備えたシュレッダの一実施形態を示す斜視図、図２は、縦断側面図、図３は、投入口における挿入通路を形成する上下ガイド板による作動状態を概略的に示す要部拡大縦断側面図、図４は、各検知手段による駆動系及び表示系の制御ブロック図、図５は、モータ過熱温度の検知手段による駆動系及び表示系の制御状態を示すフローチャート、図６は、同じくタイミングチャートである。
【００１４】
本実施形態のシュレッダ(１)は、図１及び図２に示すように、ケース本体(２)が、平面視前後が短辺で、左右が長辺の縦長の有底筒状体からなり、上方が開放し、上下に収納空間(2a)(2b)が区画形成されているとともに、その外周面の前面が開口するように開放されている。
【００１５】
前記ケース本体(２)内の上部収納空間(2a)には、細断ユニット(３)が取外し可能に組付け配置されている。前記細断ユニット(３)は、前部に操作パネル(４)を備えた上面カバー(５)を有し、この上面カバー(５)の上面略中央部には、紙・書類等の被細断物(Ａ)が投入される投入口(６)が形成されている。この投入口(６)は、ケース本体(２)の後方に向けて所定の角度で下降傾斜する上下一対のガイド板(７)(８)で形成されている。上側ガイド板(７)は、先端部(7a)を下方に屈曲または湾曲させて上面カバー(５)に固定されており、下側ガイド(８)は、その先端部(8a)を上側ガイド板(７)の先端部(7a)より前方内側に位置させて垂下状態で屈曲させてなるとともに、その投入口(６)側端部(8b)が軸(９)により枢着されて、下方に傾動自在に取り付けられている。
【００１６】
前記上側ガイド板(７)と下側ガイド(８)とは、図３に示すように、数枚の紙類が重ね状態で挿入可能な挿入通路(10)を形成するような間隔(ａ)で平行に配置され、この間隔(ａ)を維持するように、下側ガイド(８)が板バネ(11)により上方に付勢されており、前記投入口(６)側から挿入通路(10)の間隔(ａ)以上の人の手や厚紙等の厚い物が挿入されたとき、下側ガイド(８)が板バネ(11)の付勢力に抗して下方（矢印方向）に傾動し、この傾動による下側ガイド(８)の移動をリミットスイッチからなる厚物検知センサ(12)で検知するようになっている。
【００１７】
また、上側ガイド板(７)の先端部(7a)は、前記挿入通路(10)の出口側における下側ガイド(８)の先端部(8a)と対向するように屈曲または湾曲させており、挿入通路(10)から細断能力以上の硬くて曲がりにくい物、例えばプラスチック板や金属板等が挿入されたとき、その挿入を抑止するとともに、更なる挿入に伴って被細断物(Ａ)の先端を下方に向け移動させて、下側ガイド(８)を板バネ(11)の付勢力に抗して下方に傾動させるように作動させ、この傾動による下側ガイド(８)の移動を、前記厚物検知センサ(12)で検知するようになっている。
【００１８】
前記上面カバー(５)における投入口(６)の下部には、細断部となる前後一対の細断ローラ(13)(13)が噛合せ配置され、これら細断ローラ(13)(13)間の上部には、前記投入口(６)側から挿入通路(10)を経て、被細断物(Ａ)が投入されるようになっている。前記細断ローラ(13)(13)は、上面カバー(５)の下部に隣接させて配置された正逆転可能なモータ(14)に連動し、このモータ(14)の正転駆動により、被細断物(Ａ)の細断駆動が行われるようになっている。
【００１９】
前記ケース本体(２)内の下部収納空間(2b)には、前面の開口部(15)から前記細断部で細断した細断屑を収容するゴミ箱(Ｂ)が出し入れ可能に装填収納されるようになっている。そして、前記下部収納空間(2b)の内底面には、リミットスイッチからなるゴミ箱検知センサ(16)が設置されており、このゴミ箱検知センサ(16)は、前記ゴミ箱(Ｂ)の有無による装填状態を検知している。
【００２０】
前記モータ(14)のハウジング(14a)には、図２に示すように、前記モータ(14)の過熱状態を検知する過熱検知センサ(17)が直接接触させて設置され、この過熱検知センサ(17)は、前記モータ(14)の異常過熱温度となる過熱限界温度（例えば１００℃）よりも低目の設定温度（例えば７０℃）に設定され、前記モータ(14)の過熱限界温度に上昇する以前の所定の設定温度を検知したとき、今後加熱が予測されるとする予測手段によりモータ停止の予測判定を行うとともに、この予測判定から所定時間経過（例えば１分間）した後に、前記モータ(14)の駆動を停止させ、前記モータ(14)の駆動を停止した後、前記モータ(14)の温度が、前記所定の設定温度に下降してから所定時間経過（例えば５分間）した後に、前記モータ(14)を再び駆動しうるように制御されるようになっている。
【００２１】
また、前記ケース本体(２)の前面には、扉(18)が開閉自在に設けられており、この扉(18)の開閉状態は、ケース本体(２)の扉ヒンジ部(18a)近傍に設けたリミットスイッチからなる扉開検知センサ(19)により検知されるもので、この扉開検知センサ(19)は、扉(18)の開状態で、駆動部のモータ(14)を停止し、扉(18)の閉状態では、モータ(14)の駆動を許容するように制御している。
【００２２】
さらに、前記投入口(６)における挿入通路(10)の間口幅方向には、図１に示すように、前記被細断物(Ａ)の挿入状態を検知する２個の用紙センサ(20)(20)が設置されている。これら各々の用紙センサ(20)のそれぞれは、図２及び図３に示すように、前記投入口(６)を上側ガイド板(７)と下側ガイド(８)とで形成する挿入通路(10)を間に存して設けた投光素子(20a)と受光素子(20b)とからなる。
【００２３】
ところで、前記操作パネル(４)上には、図１に示すように、スタート／リスタート釦(リセット釦)(21a)、リバース釦(21b)、ストップ釦(21c)等のボタンスイッチ類(21)や、電源、運転停止中、厚物有り、ゴミ箱満杯、扉開・ゴミ箱なし、モータ過熱等を表示するＬＥＤ表示ランプ群(22)が設けられている。これらのボタンスイッチ類(21)や、上述したモータ(14)の過熱検知センサ(17)は、図４に示すように、その他のセンサ(23)等と共にマイコンからなるコントローラ(24)に接続され、このコントローラ(24)により、過熱検知センサ(17)によるモータ(14)の過熱状態の検知時に、モータドライバ(25)を介してモータ(14)の駆動／停止を制御するとともに、表示ドライバ(26)を介してＬＥＤ表示ランプ群(22)を選択的に点灯／点滅表示させるように制御している。
【００２４】
次に、前記過熱検知センサ(17)によるモータ(14)の制御状態を、図５のフローチャート及びタイミングチャートに基づいて説明する。なお、スタートモードとしては、オートモードと手動モードとに選択的に切換え可能になっており、本実施形態においては、オートモードを例に説明する。また、図６では、モータ(14)の過熱初期状態から過熱限界状態を経て冷却状態に至る温度のタイムラグを点線で示す。
【００２５】
まず、ステップ（以下、ＳＴと略記する）１において、２個の用紙センサ(20)(20)により被細断物(Ａ)の検知が行われる。被細断物(Ａ)が上面カバー(５)の投入口(６)に投入され、２個の用紙センサ(20)(20)が共にＯＮになると、ＳＴ２でモータ(14)が正転駆動し、ＳＴ３に移行する。ＳＴ１において、用紙センサ(20)がＯＦＦの場合には、元に戻る。
【００２６】
ＳＴ３では、シュレッダ(１)内における他の安全検知ルーチンの全ての安全検知センサ条件が正常、すなわち、全てのセンサがＯＦＦの場合には、モータ(14)の正転駆動による細断ローラ(13)(13)の駆動で、被細断物(Ａ)の細断が行われる（ＳＴ４）。この状態で、両方の用紙センサ(20)(20)がＯＦＦになり、被細断物(Ａ)の細断終了が判断されると（ＳＴ５）、５秒後にモータ(14)の運転が停止され（ＳＴ６）、細断を終了し、オートスタートに戻る。
【００２７】
また、ＳＴ５において、両方の用紙センサ(20)(20)の一方がＯＦＦになっても、他方がＯＮ状態を維持しているときには、ＳＴ２に戻り、モータ(14)の正転駆動を続行し、被細断物(Ａ)の細断が、両方の用紙センサ(20)(20)が共にＯＦＦになるまで行われる。被細断物(Ａ)の細断動作中においては、両方の用紙センサ(20)(20)がＯＦＦにならない限り、モータ(14)の正転駆動が続行されるようになっており、これにより、細断中における細断ローラ(13)(13)間での紙詰まりを確実に防止することができる。
【００２８】
ＳＴ３において、シュレッダ(１)内における他の安全検知ルーチンのセンサ条件に異常がある場合、すなわち、本実施形態のように、モータ(14)の過熱温度が設定温度の７０℃を超え、過熱検知センサ(17)がＮＯになると（ＳＴ７）、ＬＥＤ表示ランプ群(22)のモータ過熱を表示するランプが点滅する（ＳＴ８）。このとき、モータ(14)は、直ぐには停止せず、１分間経過する間、被細断物(Ａ)の細断駆動を続行する（ＳＴ９）。これにより、モータ(14)が駆動停止する間に、被細断物(Ａ)の細断を終了させることができ、紙詰まり、すなわち未処理停止状態の発生を防止することができる。
【００２９】
ＳＴ９において、モータ(14)の駆動が１分間経過した後、モータ(14)の運転が停止され（ＳＴ１０）、ＬＥＤ表示ランプ群(22)のモータ過熱を表示するランプが点灯し（ＳＴ１１）、モータ(14)の自然冷却が行われる。
【００３０】
そして、ＳＴ１２において、モータ(14)の温度が設定温度の７０℃以下になり、過熱検知センサ(17)がＯＦＦになると、モータ(14)は、所要の冷却時間、例えば５分間経過するまで駆動が停止され（ＳＴ１３）、モータ(14)の自然冷却を続ける。
【００３１】
ＳＴ１３において、モータ(14)の停止状態が５分間経過した後、ＬＥＤ表示ランプ群(22)のモータ過熱を表示するランプが消灯し（ＳＴ１４）、オートスタートの待機状態に戻る。
【００３２】
ＳＴ７において、過熱検知センサ(17)がＯＦＦ状態で、シュレッダ(１)内の他のセンサ条件に異常がある場合、すなわち、他のルーチンにエラーが発生しているときには、ＳＴ１５に移行し、エラーの解除が行われる。
【００３３】
ＳＴ１５において、エラーが解除され、他のセンサ条件が正常であると判断された場合には、ＳＴ１６に移行し、スタート／リスタート釦(21a)をＯＮにして、オートスタートの待機状態に戻る。
【図面の簡単な説明】
【００３４】
【図１】本発明の安全装置を備えたシュレッダの一実施形態を示す斜視図である。
【図２】縦断側面図である。
【図３】投入口における挿入通路を形成する上下ガイド板による作動状態を概略的に示す要部拡大縦断側面図である。
【図４】各検知手段による駆動系及び表示系の制御ブロック図である。
【図５】モータ過熱温度の検知手段による駆動系及び表示系の制御状態を示すフローチャートである。
【図６】同じくタイミングチャートである。
【符号の説明】
【００３５】
(１)  シュレッダ
(２)  ケース本体
(2a)  上部収納空間
(2b)  下部収納空間（収納部）
(３)  細断ユニット
(４)  操作パネル
(５)  上面カバー
(６)  投入口
(７)  上側ガイド板
(7a)  先端部
(８)  下側ガイド板
(8a)  先端部
(8b)  後端部
(９)  軸
(10)  挿入通路
(11)  板バネ
(12)  厚物センサ
(13)  細断ローラ（細断部）
(14)  モータ
(14a) ハウジング
(15)  開口部
(16)  ゴミ箱検知センサ
(17)  過熱検知センサ（検知手段）
(18)  扉
(18a) 扉ヒンジ部
(19)  扉開検知センサ
(20)  用紙センサ
(20a) 投光素子
(20b) 受光素子
(21)  ボタンスイッチ類
(21a) スタート／リスタート釦
(21b) リバース釦
(21c) ストップ釦
(22)  ＬＥＤ表示ランプ群
(23)  その他のセンサ
(24)  コントローラ
(25)  モータドライバ
(26)  表示ドライバ
(Ａ)  被細断物
(Ｂ)  ゴミ箱
(ａ)  間隔
【図１】
2007136261.tif 000003
【図２】
2007136261.tif 000004
【図３】
2007136261.tif 000005
【図４】
2007136261.tif 000006
【図５】
2007136261.tif 000007
【図６】
2007136261.tif 000008